(57)【要約】      （修正有）【課題】地震や火災等の災害時に、耐震・耐圧・漏れに耐えられる金属可燒管を提供する。【解決手段】腐食に強いが耐熱性に弱いＰＴＦＥを材質とするインナーホース５を、衝突破損での亀裂や炎に強いＳＵＳを材質とするインフレキシブルホース４で覆い、更に温度上昇を緩和するＥＣＧを材質とする耐熱ブレード６で覆い、尚且つ伸長を防止すＳＵＳを材質とする耐圧ブレード７で外側を覆った、４層構造を特徴とする。【選択図】図１
0003180235.tif 000002
【実用新案登録請求の範囲】
【請求項１】
流体に接するインナーホース▲５▼（腐食に強いが耐熱性に低いＰＴＦＥ）を外側から覆って保護するインフレキシブルホース▲４▼（衝突破損での亀裂や炎に強いＳＵＳ）と、インフレキシブルホース▲４▼を外側から覆って保護する耐熱ブレード▲６▼（温度上昇を緩和するＥＣＧ）と、耐熱ブレード▲６▼を外側から覆って保護する耐圧ブレード▲７▼（伸長を防止するＳＵＳ）の４層構造を特徴とする金属可撓管である。
【請求項２】
製法は、インフレキシブルホース▲４▼の末端外径部とプレート内径部▲１１▼で溶接する。耐圧ブレード▲７▼はフランジカラー内径部▲１２▼を貫通させ、フランジカラー▲２▼に沿って外径部▲１３▼まで拡管する。プレート▲１▼と耐圧ブレード▲７▼とフランジカラー▲２▼の３部品を密着させて外径部▲１３▼で溶接する。耐圧ブレード▲７▼に不当な伸長力が加わった時は、プレート▲１▼とフランジカラー▲２▼で挟んでいるフランジカラー角部▲１４▼で防止する為、溶接熱影響で耐圧ブレード▲７▼の強度が弱くなった部分まで、伸長力は加わらない金属可撓管を提供することを課題とする。
【考案の詳細な説明】
【技術分野】
【０００１】この考案は、非常用ディーゼル機関燃料配管用に適した複合材構成の金属可撓管に関する。
【背景技術】
【０００２】従来の非常用ディーゼル機関燃料配管に使用されているファイヤーアンドケミカルプロテクト樹脂ホースの形状は、図２に示すように、合成樹脂製チューブ１。チューブ１を外側から覆うブレード２。ブレード２を外側から覆う密閉式耐熱性保護カバー３を備えたものであり、抜け止め具８を圧着で固定している。
【先行技術文献】
【特許文献】
【０００３】
【特許文献１】特開２０００−１７０９６３号公報
【考案の概要】
【考案が解決しようとする課題】
【０００４】  しかしながら、以上の技術によれば、万が一火災等の熱・炎によって合成樹脂製チューブ１の一部が溶けて孔が開いても、流体の外部への流出を密閉式耐熱性保護カバー３が確実に防止すると有るが、カバー３の材質はステンレスが使用されている為、チューブ１に孔が開き、カバー３に漏れた場合は、カバー３に腐食性の高い流体が流れカバー３に孔が開き外部に漏れる恐れがある。【０００５】尚、ブレードを金属リング状のブレード抜け止め具８で圧着し固定しているが、火災等の炎や熱で金属リング状のブレード抜け止め具８は柔らかくなり圧着が緩み、ブレードがリングから外れて不当な伸長を防止出来なくなる。【０００６】そこで、この考案は、流体に接するインナーホース▲５▼（腐食に強いが耐熱性に低いＰＴＦＥ）を外側から覆って保護するインフレキシブルホース▲４▼（衝突破損での亀裂や炎に強いＳＵＳ）と、インフレキシブルホース▲４▼を外側から覆って保護する耐熱ブレード▲６▼（温度上昇を緩和するＥＣＧ）と、耐熱ブレード▲６▼を外側から覆って保護する耐圧ブレード▲７▼（伸長を防止するＳＵＳ）の４層構造を特徴とする金属可撓管である。【０００７】製法は、インフレキシブルホース▲４▼の末端外径部とプレート内径部▲１１▼で溶接する。耐圧ブレード▲７▼はフランジカラー内径部▲１２▼を貫通させ、フランジカラー▲２▼に沿って外径部▲１３▼まで拡管する。プレート▲１▼と耐圧ブレード▲７▼とフランジカラー▲２▼の３部品を密着させて外径部▲１３▼で溶接する。耐圧ブレード▲７▼に不当な伸長力が加わった時は、プレート▲１▼とフランジカラー▲２▼で挟んでいるフランジカラー角部▲１４▼で防止する為、溶接熱影響で耐圧ブレード▲７▼の強度が弱くなった部分まで、伸長力は加わらない金属可撓管を提供することを課題とする。
【課題を解決するための手段】
【０００８】  以上の課題を解決するために、第一考案は、流体に接するインナーホース▲５▼（腐食に強いが耐熱性に低いＰＴＦＥ）を外側から覆って保護するインフレキシブルホース▲４▼（衝突破損での亀裂や炎に強いＳＵＳ）と、インフレキシブルホース▲４▼を外側から覆って保護する耐熱ブレード▲６▼（温度上昇を緩和するＥＣＧ）と、耐熱ブレード▲６▼を外側から覆って保護する耐圧ブレード▲７▼（伸長を防止するＳＵＳ）の４層構造を特徴とする金属可撓管である。【０００９】また、第二考案は、製法でインフレキシブルホース▲４▼の末端外径部とプレート内径部▲１１▼で溶接する。耐圧ブレード▲７▼はフランジカラー内径部▲１２▼を貫通させ、フランジカラー▲２▼に沿って外径部▲１３▼まで拡管する。プレート▲１▼と耐圧ブレード▲７▼とフランジカラー▲２▼の３部品を密着させて外径部▲１３▼で溶接する。耐圧ブレード▲７▼に不当な伸長力が加わった時は、プレート▲１▼とフランジカラー▲２▼で挟んでいるフランジカラー角部▲１４▼で防止する為、溶接熱影響で耐圧ブレード▲７▼の強度が弱くなった部分まで、伸長力は加わらない金属可撓管を提供することを課題とする。
【考案の効果】
【００１０】  第一考案、または第二考案、によれば、４層構造溶接製法で火災時でも、本来の耐震・耐圧を維持して漏れ難い金属可撓管である。
【図面の簡単な説明】
【００１１】
【図１】この考案の一実施形態を示す斜視図である。
【図２】従来技術を示す斜視図である。
【考案を実施するための形態】
【００１２】  この考案の一実施形態を、図１に示す。
【００１３】「実施形態の効果」
この実施形態によれば、４層構造溶接製法で火災時でも、本来の耐震・耐圧を維持して漏れ難い金属可撓管である。
「他の実施形態」
他の実施形態では、アウトフレキシブルホース▲１０▼を外側から覆うことで、外部からの衝突破損の亀裂や炎に、さらに強い５層構造を特徴とする金属可撓管であるものでも良い。
【符号の説明】
【００１４】▲１▼プレート                    ▲２▼フランジカラー
▲３▼ルーズフランジ              ▲４▼インフレキシブルチューブ
▲５▼インナーホース              ▲６▼耐熱ブレード
▲７▼耐圧ブレード                ▲８▼バックアップガスケット
▲９▼コネクションパイプ          ▲１０▼アウトフレキシブルチューブ
▲１１▼プレート内径部            ▲１２▼フランジカラー内径部
▲１３▼外径                      ▲１４▼フランジカラー角部
【図１】
0003180235.tif 000003
【図２】
0003180235.tif 000004
【図３】
0003180235.tif 000005
【手続補正書】
【提出日】平成24年7月9日(2012.7.9)
【手続補正１】
【補正対象書類名】実用新案登録請求の範囲
【補正対象項目名】全文
【補正方法】変更
【補正の内容】
【実用新案登録請求の範囲】
【請求項１】
腐食に強いが耐熱性に弱いＰＴＦＥを材質とするインナーホース▲５▼を、衝突破損での亀裂や炎に強いＳＵＳを材質とするインフレキシブルホース▲４▼で覆い、更に温度上昇を緩和するＥＣＧを材質とする耐熱ブレード▲６▼で覆い、尚且つ伸長を防止すＳＵＳを材質とする耐圧ブレード▲７▼で外側を覆った、４層構造を特徴とする金属可撓管。
【請求項２】
インフレキシブルホース▲４▼の末端外径部とプレート内径部▲１１▼を溶接後、インフレキシブルホース▲４▼を耐圧ブレード▲７▼で覆い、次にフランジカラー▲２▼を挿入し、耐圧ブレード▲７▼の末端部をフランジカラー▲２▼に沿って外径部▲１３▼まで拡管し、耐圧ブレード▲７▼をプレート▲１▼とフランジカラー▲２▼で挟み、３部品を密着させて外径部▲１３▼を溶接する事で耐圧ブレード▲７▼に不当な伸長力が加わった時でも、耐圧ブレードはプレート▲１▼とフランジカラー▲２▼で挟まれている為、フランジカラー角部▲１４▼に伸長力が加わり、溶接熱影響で耐圧ブレード▲７▼の強度が弱くなった部分まで、伸長力は加わらない構造を特徴とする金属可撓管。
【手続補正２】
【補正対象書類名】明細書
【補正対象項目名】００１１
【補正方法】変更
【補正の内容】
【００１１】
【図１】  この考案の一実施形態を示す斜視図である。
【図２】  従来技術を示す斜視図である。
【図３】  他の実施形態を示す斜視図である。
【手続補正書】
【提出日】平成24年9月19日(2012.9.19)
【手続補正１】
【補正対象書類名】実用新案登録請求の範囲
【補正対象項目名】請求項２
【補正方法】変更
【補正の内容】
【請求項２】
インフレキシブルホース▲４▼をプレート▲１▼に挿入しインフレキシブルホース末端外径部とプレート▲１▼の内径部▲１１▼を溶接後、プレート▲１▼を溶接したインフレキシブルホースを耐圧ブレード▲７▼の末端がプレートに沿って外径に揃うまで挿入する、次に耐圧ブレード▲７▼にインフレキシブルホース▲４▼を挿入した耐圧ブレードをフランジカラー▲２▼に挿入し、耐圧ブレード拡管部をプレートの側面とフランジカラー▲２▼のツバ側面で挟むまで挿入する、プレートと耐圧ブレード拡管部とフランジカラー▲２▼の３部品を密着させて外径部▲１３▼を溶接する事で耐圧ブレード▲７▼に不当な伸長力が加わった時でも、耐圧ブレード▲７▼はプレート▲１▼とフランジカラー▲２▼で挟まれている為、フランジカラー角部▲１４▼に伸長力が加わり、溶接熱影響で耐圧ブレード▲７▼の強度が弱くなった部分まで、伸長力は加わらない構造を特徴とする請求項１記載の金属可撓管。